(57)【要約】  使用者が快適に使用できる化粧品容器用のパッキン及び化粧品容器を提供する。  化粧品容器(1)用のパッキン(20)は、化粧料を塗布するための塗布具(42)が差し込み及び抜き取りされ、化粧料が格納される化粧品容器本体(50)の開口部に配置されるものであって、化粧品容器本体とは反対側の開口端部(20ba)は、化粧品容器本体とは反対方向に向かって突状に形成されており、パッキンの本体部(20a)と開口端部との間の部分は、本体部から開口端部へ向かって次第に拡径する第一傾斜部(20bb)として構成され、第一傾斜部の終端部が開口端部であり、かつ、開口端部の直径(dC)は、本体部を構成する壁部の外周面の直径(dB)よりも大きく構成されている。
2019053862.tif 000002
【特許請求の範囲】
【請求項１】
化粧料を塗布するための塗布具が差し込み及び抜き取りされ、前記化粧料が格納される化粧品容器本体の開口部に配置される化粧品容器用のパッキンであって、  前記パッキンにおいて、前記化粧品容器本体とは反対側の開口端部は、前記化粧品容器本体とは反対方向に向かって突状に形成されており、  前記パッキンの本体部と前記開口端部との間の部分は、前記本体部から前記開口端部へ向かって次第に拡径する第一傾斜部として構成され、  前記第一傾斜部の終端部が前記開口端部であり、かつ、前記開口端部の直径は、前記本体部を構成する壁部の外周面の直径よりも大きく構成されている、化粧品容器用のパッキン。
【請求項２】
前記パッキンの前記化粧品容器本体側の第二開口端部は、前記塗布具の外形よりも小さく形状された第一化粧料調節機構として構成されており、  前記第一傾斜部は、その接線に対する垂線の方向が、前記終端部に向かうにつれて鉛直方向に近づくように形成された第二化粧料調節機構として構成されている、請求項１に記載の化粧品容器用のパッキン。
【請求項３】
前記終端部は、曲面となっている、請求項１に記載の化粧品容器用のパッキン。
【請求項４】
前記開口端部の外側部分は、前記開口端部から下方に向かって傾斜する第二傾斜部として構成されている、請求項１に記載の化粧品容器用のパッキン。
【請求項５】
前記第二傾斜部の中央部の傾斜角度（前記パッキンの中心軸に対する傾斜角度）は、前記第一傾斜部の中央部の傾斜角度とほぼ等しい、あるいは、前記第一傾斜部の中央部の傾斜角度以下である、請求項２に記載の化粧品容器用のパッキン。
【請求項６】
前記本体部の平均開口径ｄＡに対する前記開口端部の開口径ｄＣの比（ｄＣ／ｄＡ）は、１．５以上１．６以下である、請求項１に記載の化粧品容器用のパッキン。
【請求項７】
請求項１乃至請求項６のいずれかに記載の化粧品容器用のパッキンを備える化粧品容器。 
【発明の詳細な説明】
【技術分野】
【０００１】  本発明は化粧品容器用パッキン及び化粧品容器に関する。
【背景技術】
【０００２】  使用者が快適に容器を操作して、マスカラ等の化粧料を塗布できることが、化粧料塗布用の化粧品容器にとって重要である。【０００３】  例えば特許文献１において、従来技術によるデバイスと比較して、より簡単に使用しえるようなデバイスが提案されている。
【先行技術文献】
【特許文献】
【０００４】
【特許文献１】特許第４５２０２０１号公報
【発明の概要】
【発明が解決しようとする課題】
【０００５】  図１７及び図１８は、従来の化粧品容器の一例を示す図である。図１７の概略断面図に示すように、容器本体１００は、胴体部１０２及び接続部１０４で構成される。胴体部１０２には化粧料が格納されている。接続部１０４の内側には、パッキン１１０が固定されている。パッキン１１０は、塗布具１２０を出し入れすることができるようになっている。塗布具１２０は、軸部１２２とその先端に固定されるブラシ１２４から構成される。ブラシ１２４は、毛足のあるスポンジ状の材料で形成されている。【０００６】  パッキン１１０は、内周面１１０ａと上面１１０ｂを有する。内周面１１０ａは、上面１１０ｂからほぼ垂直に下方に延在している。上面１１０ｂは、平坦である。【０００７】  ところで、使用者が塗布用の化粧品容器を快適に使用するためには、化粧品容器に格納されている化粧料によって、使用者の手が汚れる状況や、化粧品容器自体が汚れる状況を回避する必要がある。図１７及び図１８に示す従来の化粧用容器は、塗布具１２０をパッキン１１０の長手方向の中心軸が延在する方向（以下、「中心軸方向」という。）から挿入しない限り、ブラシ１２４が上面１１０ｂに当たり、化粧料が飛び散ったり、化粧料が上面１１０ｂに付着するという問題がある。すなわち、図１７に示すように、塗布具１２０を挿入する方向が中心軸方向からわずかにずれるだけで、ブラシ１２４は上面１１０ｂに接触することになる。【０００８】  また、化粧品容器の使用者の意思に沿う化粧を実施するためには、ブラシ１２４に付着する化粧料の量や、化粧料が付着するブラシ１２４における位置（例えば、ブラシ１２４の先端や中央部）が重要である。このため、使用者は、ブラシ１２４をパッキン１１０の開口部近傍でしごいて、ブラシ１２４に付着している化粧料の量や、化粧料が付着するブラシ１２４における位置を調整する（以下、「微調整」という。）場合がある。具体的には、図１８（ａ）に示すように、使用者の眼Ｅ１と反対側の開口部近傍、詳細には内周面１１０ａと上面１１０ｂが接続する角の部分（以下、「角部分」という。）にブラシ１２４を当接させ、矢印Ｕ１に示すように外側に動かすことによって、上述の微調整を行う。ブラシ１２４を角部分でしごくと、図１８（ｂ）に示すように、ブラシ１２４に付着していた化粧料の一部２００ａは内周面１１０ａに移動するのであるが、内周面１１０ａはほぼ垂直に下方に延在しているから、化粧料２００ａは、矢印Ｄ１に示すように迅速に下方に落下する。内周面１１０ａは、上面１１０ｂからほぼ垂直に下方に延在しているから、使用者の眼Ｅ１は、内周面１１０ａをのぞき込むようにしなければならず、また、内周面１１０ａには外部からの光が入りにくいから、化粧料を明確に視認することはできない。このため、使用者は、どのくらい化粧料２００ａをしごき落としたのか確認しづらい。言い換えると、使用者は、どのくらい化粧料がブラシ１２４に残存しているのか把握しづらい。使用者が意図していたより多くしごき落としてしまった場合は、改めて、ブラシ１２４を容器本体１００に差し込んで、初めから調整しなおす必要がある。さらに、上面１１０ｂは平坦であるから、ブラシ１２４を角部分でしごくと、���粧料の一部２００ｂは化粧料が上面１１０ｂに残存して、化粧品容器自体が汚れ、ひいては手などが汚れてしまう場合がある。【０００９】  本発明は、上記を踏まえて、使用者がより快適に化粧品容器を使用することを可能にする化粧品容器用のパッキン及び化粧品容器を提供するものである。
【課題を解決するための手段】
【００１０】  第一の発明は、化粧料を塗布するための塗布具が差し込み及び抜き取りされ、前記化粧料が格納される化粧品容器本体の開口部に配置される化粧品容器用のパッキンであって、前記パッキンにおいて、前記化粧品容器本体とは反対側の開口端部は、前記化粧品容器本体とは反対方向に向かって突状に形成されており、前記パッキンの本体部と前記開口端部との間の部分は、前記本体部から前記開口端部へ向かって次第に拡径する第一傾斜部として構成され、前記第一傾斜部の終端部が前記開口端部であり、かつ、前記開口端部の直径は、前記本体部を構成する壁部の外周面の直径よりも大きく構成されている、化粧品容器用のパッキンである。【００１１】  第一の発明の構成によれば、パッキンの第一傾斜部の終端部（開口端部）の直径が、本体部を構成する壁部の外周面の直径よりも大きく構成されており、大きく開口しているから、使用者が、中心軸方向から比較的大きくずれた方向から塗布具を化粧品容器本体に差しこんだ場合であっても、終端部の内側の範囲である限り、塗布具は第一傾斜部を滑り、化粧品容器本体内に入ることができる。また、前記本体部とは反対方向、すなわち、上方に向かって突状に形成されているから、塗布具が終端部に接触したとしても、化粧料が終端部に残存することはない、あるいは、残存したとしても、開口端部が平坦である従来例の場合に比べると、残存量は極めて少ない。第一傾斜部は、中心軸方向に対して所定の角度を有するから、使用者が、塗布具を第一傾斜部、または、終端部でしごいて、塗布具に付着した化粧料の一部を第一傾斜部に移動させた場合、化粧料は比較的長時間、第一傾斜部に残存する。そして、第一傾斜部が大きく拡径しているから、使用者の視線の角度の関係で（第一傾斜部の面と使用者の視線が９０度よりも小さい角度になりやすい）、使用者の眼と反対方向側の第一傾斜部を視認しやすく、かつ、外部の光が入りやすいから、視認性が向上する。このため、使用者は、塗布具に付着した化粧用の量の微調整を第一傾斜部において快適に実施することができる。以上により、使用者がより快適に化粧品容器を使用することができる。【００１２】第二の発明は、第一の発明の構成において、前記パッキンの前記化粧品容器本体側の第二開口端部は、前記塗布具の外形よりも小さく形状された第一化粧料調節機構として構成されており、前記第一傾斜部は、その接線に対する垂線の方向が、前記終端部に向かうにつれて鉛直方向に近づくように形成された第二化粧料調節機構として構成されている、化粧品容器用のパッキンである。【００１３】  第三の発明は、第一の発明の構成において、前記終端部は、曲面となっている、化粧品容器用のパッキンである。【００１４】  第四の発明は、第一の発明の構成において、前記開口端部の外側部分は、前記開口端部から下方に向かって傾斜する第二傾斜部として構成されている、化粧品容器用のパッキンである。【００１５】  第五の発明は、第二の発明の構成において、前記第二傾斜部の中央部の傾斜角度（前記パッキンの中心軸に対する傾斜角度）は、前記第一傾斜部の中央部の傾斜角度とほぼ等しい、あるいは、前記第一傾斜部の中央部の傾斜角度以下である、化粧品容器用のパッキンで��る。【００１６】  第六の発明は、第一の発明の構成において、前記本体部の平均開口径ｄＡに対する前記開口端部の開口径ｄＣの比（ｄＣ／ｄＡ）は、１．５以上１．６以下である、化粧品容器用のパッキンである。【００１７】  第七の発明は、請求項１乃至請求項６に記載の化粧品容器用のパッキンを備える化粧品容器である。
【発明の効果】
【００１８】  本発明にかかる化粧品容器によれば、使用者がより快適に化粧品容器を使用することを可能にする化粧品容器用のパッキン及び化粧品容器を提供することができる。
【図面の簡単な説明】
【００１９】
【図１】本発明の一実施形態にかかる化粧品容器の概略全体図である。
【図２】化粧品容器を図１の矢印Ｘ１方向から視た概略平面図である。
【図３】化粧品容器本体から塗布具等を取り外した状態を示す概略図である。
【図４】化粧品容器の概略断面図である。
【図５】パッキンを示す概略斜視図である。
【図６】パッキンの概略断面図である。
【図７】化粧品容器の部品の概略断面図である。
【図８】化粧品容器本体と塗布具等を示す概略断面図である。
【図９】塗布具が化粧品容器本体に備えられたパッキンに接近する状態を示す概略図である。
【図１０】塗布具がパッキンに接近する状態を示す概略図である。
【図１１】塗布具がパッキンの第一斜面部に接触する状態を示す概略図である。
【図１２】塗布具がパッキンの第一斜面部を滑り落ちる状態を示す概略図である。
【図１３】塗布具がパッキンの中心部まで滑り落ちた状態を示す概略図である。
【図１４】パッキンの使用状態を示す概略斜視図である。
【図１５】パッキンの構成及び使用状態を示す概略断面図である。
【図１６】第二の実施形態に係るパッキンの概略断面図である。
【図１７】従来例に係るパッキンの概略断面図である。
【図１８】従来例に係るパッキンの概略斜視図である。
【発明を実施するための形態】
【００２０】  以下、図面に基づき本発明の好適な実施形態を説明する。
【００２１】  図１及び図２に示すように、化粧品容器１（以下、「容器１」という。）は、キャップ部１０と化粧品容器本体５０（以下、「容器本体５０」という。）から構成される。容器本体５０は、化粧品容器本体の一例である。容器本体５０には、マスカラや液体ファンデーションなどの化粧料が格納される。容器１において、キャップ１０が位置する方向を上側（上方）、容器本体５０が位置する方向を下側（下方）と呼ぶ。上側にあるほど「高い位置」、下側にあるほど「低い位置」と表現する。また、容器１の長手方向の仮想中心軸Ｚ１（以下、「中心軸Ｚ１」という。）の方向を内側、中心軸Ｚ１と離れる方向を外側と呼ぶ。中心軸Ｚ１が延在する方向を鉛直方向とも呼ぶ。
【００２２】  容器１は、両端近傍の直径が中央部の直径よりも大きい略円柱形状に構成されている。そして、一方の端部近傍の最大直径が、他方の端部近傍の最大直径よりも大きい。キャップ部１０の最大直径は、容器本体５０の最大直径よりも小さい。容器１は、使用者が片手で保持できる程度の大きさであり、例えば、容器１全体の長さＬ１は１３０ｍｍ（ミリメートル）、最大直径Ｗ１は２０ｍｍである。
【００２３】  図３に示すように、容器本体５０は、胴体部５２及び接続部５４で構成される。接続部５４には、雄螺子５４ａが形成されている。
【００２４】  キャップ部１０には、軸部４０が固定されている。軸部４０の先端にはブラシ４２が固定されている。ブラシ４２は化粧料を塗布するための塗布具の一例である。ブラシ４２は、毛足のあるスポンジ状の材料で形成されている。接続部５４の両端部は開口しており、軸部４０及びブラシ４２を胴体部５２に格納できるようになっている。すなわち、容器本体５０には、ブラシ４２が差し込み及び抜き取りされるようになっている。
【００２５】  キャップ部１０の下側端部は開口しており、略円柱形状の凹状空間１０Ｓが形成されている。凹状空間１０Ｓを構成する内側壁部１０ａには雌螺子が（図示せず）形成されており、容器本体５０の雄螺子５４ａと係合することで、キャップ部１０を容器本体５０に着脱自在に固定するようになっている。
【００２６】  図４に示すように、容器本体５０の接続部５４の内側には、パッキン２０が固定されている。なお、図４において、接続部５４の雄螺子５４ａの記載は省略している。図７乃至図１３においても同様である。パッキン２０は、化粧品容器用のパッキンの一例である。また、軸部４０の上端部４０ａ（図７参照）は、キャップ部１０の上端近傍空間１０Ｓ２（図７参照）に固定されている。ブラシ４２は、パッキン２０を通過して、容器本体５０に、差し込み及び抜き取りされるようになっている。
【００２７】  容器本体５０は、例えば、ポリプロピレン（ＰＰ）を射出成型して形成される。キャップ部１０は、例えば、ポリエチレンテレフタレート（ＰＥＴ）を射出成型して形成される。パッキン２は、例えば、ポリエチレン（ｐｏｌｙｅｔｈｙｌｅｎｅ，ＰＥ）を射出成型して形成される。
【００２８】  図５及び図６に示すように、パッキン２０は、全体として円筒形状に形成されており、パッキン本体部２０ａと拡径部２０ｂで構成される。パッキン本体部２０ａはパッキン本体部の一例である。パッキン本体部２０ａの外周面２０ａａには、環状の凸部２０ａ１及び２０ａ２が形成されており、接続部５４の内側へ固定しやすくなっている。
【００２９】  拡径部２０ｂは、上端部（開口端部）２０ｂａ、第一傾斜部２０ｂｂ、第二傾斜部２０ｂｃ、垂直部２０ｂｄ及び下端部２０ｂｅで構成される。上端部２０ｂａは、開口端部の一例である。第一傾斜部２０ｂｂは第一傾斜部の一例である。第二傾斜部２０ｂｃは第二傾斜部の一例である。
【００３０】  パッキン２０は、上端部２０ｂａの直径がパッキン本体部２０ａの外周面の直径よりも大きい円筒形状に構成されている。第一傾斜部２０ｂｂは、パッキン本体部２０ａの内側面２０ａｂから上端部２０ｂａへ向かって次第に拡径する形状に構成されている。第一傾斜部２０ｂｂの終端部が上端部２０ｂａである。第一傾斜部２０ｂｂは、パッキン２０の鉛直軸Ｚ２方向へ向かって凸の曲面部として構成されている。すなわち、第一傾斜部２０ｂｂは、その接線に対する垂線の方向が、上端部２０ｂａに向かうにつれて鉛直方向に近づくように構成されている。
【００３１】  また、上端部２０ｂａは、上方に向かって突状に形成されている。具体的には、上端部２０ｂａは曲面として形成されている。上端部２０ｂａは、パッキン本体部２０ａを構成する壁部の外面（外周面２０ａａ）よりも外側に位置する（図６参照）。すなわち、上端部２０ｂａの直径ｄＣは、パッキン本体部２０ａの外周面２０ａａの最大径ｄＢよりも大きい。また、上端部２０ｂａは、パッキン本体部２０ａにおける最も高い位置である最上部として構成されている。上端部２０ｂａは、終端部の一例でもある。
【００３２】  第二傾斜部２０ｂｃは、上端部２０ｂａよりも外側の外側部分であり、外側にいくほど低くなるように傾斜しており、上端部２０ｂａよりも低く構成されている。言い換えると、第二傾斜部２０ｂｃは、上端部２０ｂａから下方に向かって傾斜している。パッキン２０における最も外側の部分は最大径ｄＤを有する。パッキン２０の下側開口部２０ａｃの直径ｄＦは、ブラシ４２の直径よりもわずかに小さい。これにより、化粧料が付着したブラシ４２をパッキン２０から引き出すときに、余分な化粧料がパッキン２０の下側開口部２０ａｃにて落とされる。すなわち、下側開口部２０ａｃは、ブラシ４２に付着する化粧料の量を調整する第一化粧料調節機構の一例である。
【００３３】  第二傾斜部２０ｂｃの中央部の傾斜角度（鉛直軸Ｚ２に対する傾斜角度）θ２は、第一傾斜部２０ｂｂの傾斜角度θ１とほぼ等しい、あるいは、傾斜角度θ２は傾斜角度θ１以下に規定される。図６（ｂ）において、鉛直軸Ｚ２が延びる方向は鉛直方向である。本実施形態においては、傾斜角度θ２は２０度、傾斜角度θ１は３５度である。
【００３４】  パッキン本体部２０ａの平均開口径ｄＡに対する第一傾斜部２０ｂｂの終端（すなわち、上端部２０ｂａ）の開口径ｄＣの比（ｄＣ／ｄＡ）は、１．５以上１．６以下に規定される。本実施形態においては、ｄＡが５．６ｍｍ、ｄＣが８．４ｍｍであり、比（ｄＣ／ｄＡ）は１．５０である。
【００３５】  図７及び図８に示すように、パッキン２０が接続部５４に押し入れられ、パッキン２０の外周面２０ａａが接続部５４の内周面５４ｂに接し、固定される。パッキン２０の拡径部２０ｂの下端部２０ｂｅが、接続部５４の上端である上端部５４ｃに接した状態で、パッキン２０は接続部５４に固定される。
【００３６】  以下、図９乃至図１３を参照して、軸部４０に固定されたブラシ４２が、パッキン２０を通過して容器本体５０に差し入れられる状態を説明する。図９に示すように、ブラシ４２が、容器本体５０の中心軸Ｚ１の延長線の方向（中心軸方向）から容器本体５０に差し入れられる場合もあるが、図１０に示すように、ブラシ４２が中心軸方向からずれた方向から容器本体５０に差し入れられる場合がある。
【００３７】  ブラシ４２がパッキン２０の上端部２０ｂａの内側の位置から差し入れられる限り（図１０参照）、ブラシ４２は、第一傾斜部２０ｂｂに接し（図１１参照）、さらに、第一傾斜部２０ｂｂに沿って滑り（図１２参照）、最終的に、中心軸方向から容器本体５０に差し入れられる（図１３参照）。すなわち、ブラシ４２が上端部２０ｂａから第一傾斜部２０ｂｂへスムーズに誘導されていくことにより、ブラシ４２がひっかかることなく、容器本体５０に差し入れられる。
【００３８】  次に、図１４及び図１５を参照して、ブラシ４２に付着した化粧料の量の微調整を実施する方法を説明する。図１４（ａ）に示すように、使用者は、第一傾斜部２０ｂｂを使用して、微調整を実施する。第一傾斜部２０ｂｂは、第二化粧料調節機構の一例である。使用者は、第一傾斜部２０ｂｂのうち、眼Ｅ１と反対側に位置する部分に、ブラシ４２を当接させて、矢印Ｕ１に示すように外側に動かすことによって、化粧料の量の微調整を行う。すなわち、使用者は、下側開口部２０ａｃ（図６（ａ）参照）でいったん余分な化粧料が落とされたブラシ４２を、内側面２０ａｂを通過させ、ブラシ４２を第一傾斜部２０ｂｂに押し当てて、上端部２０ｂａへ向かって滑らせ、上端部２０ｂａでしごいて、不必要な化粧料を落とし、あるいは、化粧料が付着するブラシ４２における位置を調整する等の微調整を行う。使用者は、ブラシ４２から第一傾斜部２０ｂｂに移動した化粧料の量を視認し、移動した化粧料の量が不十分であれば、再度、ブラシ４２を第一傾斜部２０ｂｂに押し当てて、化粧料の量等の微調整を行う。上端部２０ｂａは平坦ではないから、その際に、化粧料が上端部２０ｂａに残存することはない。
【００３９】  第一傾斜部２０ｂｂは、鉛直軸Ｚ２方向（図６（ｂ）参照）に対して所定の角度を有するから、使用者が、ブラシ４２を第一傾斜部２０ｂｂを利用して、図１４（ｂ）に示すように、ブラシ４２に付着した化粧料の一部７０を第一傾斜部２０ｂｂに移動させた場合、化粧料７０は比較的長時間、第一傾斜部２０ｂｂに残存する。このため、使用者は、第一傾斜部２０ｂｂを絵を描くときに使用するパレットのように使用して、ブラシ４２に付着する化粧料の量や、ブラシ４２において化粧料が付着する位置を微調整することができる。
【００４０】  第一傾斜部２０ｂｂの傾斜は、ブラシ４２から移動した化粧料を見やすい角度に調整されている。具体的には、図１５（ａ）に示すように、第一傾斜部２０ｂｂの中央部２０ｂｂ１における接線をＬ１１、接線Ｌ１１に垂直な線を垂線Ｌ２１とする。そして、第一傾斜部２０ｂｂの中央部２０ｂｂ１よりも上方の上部２０ｂｂ２における接線をＬ１２、接線Ｌ１２に垂直な線を垂線Ｌ２２とする。なお、接線Ｌ１１及びＬ１２は、便宜上、第一傾斜部２０ｂｂから少し離して表示している。垂線Ｌ２１と水平方向の線Ｌ３との角度を角度θ１１、垂線２２と線Ｌ３との角度を角度θ１２とすると、角度θ１２は角度θ１１よりも大きい。すなわち、垂線Ｌ２２は垂線Ｌ２１よりも鉛直に近い。このため、図１５（ｂ）に示すように、使用者の眼Ｅ１が第一傾斜部２０ｂｂの中央部２０ｂｂ１を垂線Ｌ２１の方向の視線で視認するとき、中央部２０ｂｂ１よりも上方の部分には、垂線Ｌ２１よりも鉛直に近い垂線Ｌ２２、あるいは、垂線Ｌ２３の方向から外部の光が第一傾斜部２０ｂｂに取り込まれる。第一傾斜部２０ｂｂはパッキン本体部２０ａよりも大きな直径となるように拡径しているから、使用者の眼Ｅ１の視線の角度との関係で、使用者の眼Ｅ１と反対方向側の第一傾斜部２０ｂｂに付着した化粧料７０（図１４（ｂ）参照）を視認しやすい。すなわち、図１８（ｂ）に示す従来例のように使用者の眼Ｅ１の視線と垂直に近い壁部に付着した化粧料２００ａを視る場合よりも、図１５（ｂ）に示すように使用者の眼Ｅ１の視線の方向に傾斜した第一傾斜部２０ｂｂに付着した化粧料７０（図１４（ｂ）参照）を視る方が視認性がよい。また、第一傾斜部２０ｂｂはパッキン本体部２０ａよりも大きな直径となるように拡径しているから、影ができにくく、外部の光が入りやすいことからも、視認性が向上する。
【００４１】  このため、使用者は、ブラシ４２に付着した化粧用の量の微調整を第一傾斜部２０ｂｂにおいて快適に実施することができる。
【００４２】＜第二の実施形態＞  図１６を参照して、第二の実施形態について説明する。第一の実施形態と共通する事項は説明を省略する。
【００４３】  第二の実施形態のパッキン本体部２０Ａにおいて、パッキン本体部２０ａの平均開口径ｄＡに対する第一傾斜部２０ｂｂの終端（すなわち、上端部２０ｂａ）の開口径ｄＣの比（ｄＣ／ｄＡ）は、第一の実施形態のパッキン本体部２０の場合よりも小さい。また、傾斜角度θ２は傾斜角度θ１と等しい。
【００４４】  なお、本発明の化粧品容器は、上記実施形態に限らず、本発明の要旨を逸脱しない範囲内において種々変更を加えることができる。
【符号の説明】
【００４５】１    化粧品容器１０  キャップ部２０，２０Ａ  パッキン本体部５０  容器本体５２  胴体部５４  接続部４０  軸部４２  ブラシ 
【図１】
2019053862.tif 000003
【図２】
2019053862.tif 000004
【図３】
2019053862.tif 000005
【図４】
2019053862.tif 000006
【図５】
2019053862.tif 000007
【図６】
2019053862.tif 000008
【図７】
2019053862.tif 000009
【図８】
2019053862.tif 000010
【図９】
2019053862.tif 000011
【図１０】
2019053862.tif 000012
【図１１】
2019053862.tif 000013
【図１２】
2019053862.tif 000014
【図１３】
2019053862.tif 000015
【図１４】
2019053862.tif 000016
【図１５】
2019053862.tif 000017
【図１６】
2019053862.tif 000018
【図１７】
2019053862.tif 000019
【図１８】
2019053862.tif 000020
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
化粧料を塗布するための塗布具が差し込み及び抜き取りされ、前記化粧料が格納される化粧品容器本体の開口部に配置される化粧品容器用のパッキンであって、
前記パッキンは、本体部と、前記本体部の上方に位置する拡径部で構成され、
前記パッキンが前記化粧品本体に配置されるときに、前記拡径部の下端部が前記化粧品容器本体の前記開口部の上端部と接するように構成されており、
前記パッキンにおいて、前記化粧品容器本体とは反対側の開口端部は、前記化粧品容器本体とは反対方向に向かって突状に形成されており、
前記パッキンの本体部の内側面の所定の位置と前記開口端部との間の部分は、前記開口端部へ向かって次第に拡径する第一傾斜部として構成され、
前記所定の位置は、前記拡径部の前記下端部よりも低い位置であり、
前記第一傾斜部の終端部が前記開口端部であり、かつ、前記開口端部の直径は、前記本体部を構成する壁部の外周面の直径よりも大きく構成されている、
化粧品容器用のパッキン。
【請求項２】
前記パッキンの前記化粧品容器本体側の第二開口端部は、前記塗布具の外形よりも小さく形状された第一化粧料調節機構として構成されており、
前記第一傾斜部は、その接線に対する垂線の方向が、前記終端部に向かうにつれて鉛直方向に近づくように形成された第二化粧料調節機構として構成されている、
請求項１に記載の化粧品容器用のパッキン。
【請求項３】
前記終端部は、曲面となっている、
請求項１に記載の化粧品容器用のパッキン。
【請求項４】
前記開口端部の外側部分は、前記開口端部から下方に向かって傾斜する第二傾斜部として構成されている、
請求項１に記載の化粧品容器用のパッキン。
【請求項５】
前記第二傾斜部の中央部の傾斜角度（前記パッキンの中心軸に対する傾斜角度）は、前記第一傾斜部の中央部の傾斜角度とほぼ等しい、あるいは、前記第一傾斜部の中央部の傾斜角度以下である、
請求項２に記載の化粧品容器用のパッキン。
【請求項６】
前記本体部の平均開口径ｄＡに対する前記開口端部の開口径ｄＣの比（ｄＣ／ｄＡ）は、１．５以上１．６以下である、
請求項１に記載の化粧品容器用のパッキン。
【請求項７】
請求項１乃至請求項６のいずれかに記載の化粧品容器用のパッキンを備える化粧品容器。  
【国際調査報告】
2019053862.tif 000021
2019053862.tif 000022
2019053862.tif 000023